(57)【要約】【課題】ハンドオーバ先でのチャネルの割当を迅速に実行したい。【解決手段】無線部２０等は、アンテナ１２ｂを介して、チャネルが割り当てられた端末装置に対して、無線通信を実行する。制御部２６は、無線通信を現在実行していない端末装置、および当該端末装置と無線通信を現在実行している基地局装置のいずれかから送信された信号であって、かつハンドオーバの開始要求が含まれた信号を取得する。制御部２６は、信号を取得すると、無線通信に現在使用していないチャネルを予約する。制御部２６は、チャネルを予約してから一定の期間以内に、チャネルの割当要求信号を新たな端末装置から受信した場合、当該端末装置に対して、予約したチャネルを割り当てる。【選択図】図３
2008048073.tif 000002
【特許請求の範囲】
【請求項１】
チャネルが割り当てられた端末装置に対して、無線通信を実行する通信部と、
前記通信部において無線通信を現在実行していない端末装置、および当該端末装置と無線通信を現在実行している基地局装置のいずれかから送信された信号であって、かつハンドオーバの開始要求が含まれた信号を取得する取得部と、
前記取得部が信号を取得すると、前記通信部が無線通信に現在使用していないチャネルを予約する制御部とを備え、
前記制御部は、チャネルを予約してから一定の期間以内に、前記通信部がチャネルの割当要求信号を新たな端末装置から受信した場合、当該端末装置に対して、予約したチャネルを割り当てることを特徴とする基地局装置。
【請求項２】
アンテナと、
前記アンテナを介して、チャネルが割り当てられた端末装置に対して、無線通信を実行する通信部と、
前記通信部において無線通信を現在実行していない端末装置、および当該端末装置と無線通信を現在実行している基地局装置のいずれかから送信された信号であって、かつハンドオーバの開始要求が含まれた信号を取得する取得部と、
前記取得部が信号を取得すると、前記通信部が無線通信に現在使用していないチャネルを予約する制御部とを備え、
前記制御部は、チャネルを予約してから一定の期間以内に、前記通信部がチャネルの割当要求信号を新たな端末装置から受信した場合、当該端末装置に対して、予約したチャネルを割り当てることを特徴とする基地局装置。
【請求項３】
前記制御部における一定の期間は、接続元の基地局装置から接続先の基地局装置へ端末装置が接続を切りかえるために要すべき期間をもとに予め規定されていることを特徴とする請求項１または２に記載の基地局装置。
【請求項４】
無線通信を現在実行していない端末装置、および当該端末装置と無線通信を現在実行している基地局装置のいずれかから送信された信号であって、かつハンドオーバの開始要求が含まれた信号を取得するステップと、
信号を取得すると、無線通信に現在使用していないチャネルを予約するステップと、
チャネルを予約してから一定の期間以内に、チャネルの割当要求信号を新たな端末装置から受信した場合、当該端末装置に対して、予約したチャネルを割り当てるステップと、
を備えることを特徴とするチャネル割当方法。
【請求項５】
無線通信を現在実行していない端末装置、および当該端末装置と無線通信を現在実行している基地局装置のいずれかから送信された信号であって、かつハンドオーバの開始要求が含まれた信号を取得するステップと、
信号を取得すると、無線通信に現在使用していないチャネルを予約するステップと、
チャネルを予約してから一定の期間以内に、チャネルの割当要求信号を新たな端末装置から受信した場合、当該端末装置に対して、予約したチャネルを割り当てるステップと、
をコンピュータに実行させるためのプログラム。
【発明の詳細な説明】
【技術分野】
【０００１】
本発明は、チャネル割当技術に関し、特にハンドオーバの際にチャネルを割り当てるチャネル割当方法およびそれを利用した基地局装置に関する。
【背景技術】
【０００２】
移動通信システムには、複数の基地局装置が設置され、基地局装置によって形成されるセルが面的な通信エリアとなる。ひとつのセル内の基地局装置と通信している端末装置が、別のセルに移動すると、別のセル内の基地局装置へのハンドオーバが実行される。端末装置が高速に移動している場合、ハンドオーバの処理が迅速になされることが好ましい。そのために、例えば、基地局装置に接続されたネットワーク上の機器に、認証に関する情報がハンドオーバ元の基地局装置から複写され、ハンドオーバ先の基地局装置が情報を利用する（例えば、特許文献１参照。）。
【特許文献１】特表２００２−５２８９７６号公報
【発明の開示】
【発明が解決しようとする課題】
【０００３】
基地局装置は、チャネルを割り当てることによって、端末装置と通信する。ハンドオーバにおけるチャネルの割当は、以下のように説明される。最初、ハンドオーバ元の基地局装置が、端末装置にチャネルを割り当てる。ハンドオーバが起動されると、端末装置は、新たな基地局装置を探索するとともに、ハンドオーバ元の基地局装置との通信を切断する。その結果、ハンドオーバ元の基地局装置は、端末装置に割り当てていたチャネルを開放する。また、端末装置は、ハンドオーバ先の基地局装置に対して、チャネルの割当を要求する。ハンドオーバ先の基地局装置が、端末装置にチャネルを割り当てる。そのため、ハンドオーバを迅速に実行するためには、認証等の処理に先立って、ハンドオーバ先の基地局装置によるチャネル割当が迅速に実行されなければならない。
【０００４】
本発明はこうした状況を認識してなされたものであり、その目的は、ハンドオーバを迅速に実行するチャネル割当技術を提供することにある。
【課題を解決するための手段】
【０００５】
上記課題を解決するために、本発明のある態様の基地局装置は、チャネルが割り当てられた端末装置に対して、無線通信を実行する通信部と、通信部において無線通信を現在実行していない端末装置、および当該端末装置と無線通信を現在実行している基地局装置のいずれかから送信された信号であって、かつハンドオーバの開始要求が含まれた信号を取得する取得部と、取得部が信号を取得すると、通信部が無線通信に現在使用していないチャネルを予約する制御部とを備える。制御部は、チャネルを予約してから一定の期間以内に、通信部がチャネルの割当要求信号を新たな端末装置から受信した場合、当該端末装置に対して、予約したチャネルを割り当てる。
【０００６】
この態様によると、端末装置と別の基地局装置との間でのハンドオーバの開始要求が含まれた信号を取得したときに、チャネルを予約し、端末装置からチャネルの割当要求信号を受信したときに、予約したチャネルを割り当てるので、空きチャネルの確認処理を省略でき、チャネルの割当を迅速に実行できる。
【０００７】
本発明の別の態様もまた、基地局装置である。この装置は、アンテナと、アンテナを介して、チャネルが割り当てられた端末装置に対して、無線通信を実行する通信部と、通信部において無線通信を現在実行していない端末装置、および当該端末装置と無線通信を現在実行している基地局装置のいずれかから送信された信号であって、かつハンドオーバの開始要求が含まれた信号を取得する取得部と、取得部が信号を取得すると、通信部が無線通信に現在使用していないチャネルを予約する制御部とを備える。制御部は、チャネルを予約してから一定の期間以内に、通信部がチャネルの割当要求信号を新たな端末装置から受信した場合、当該端末装置に対して、予約したチャネルを割り当てる。
【０００８】
この態様によると、端末装置と別の基地局装置との間でのハンドオーバの開始要求が含まれた信号を取得したときに、チャネルを予約し、端末装置からチャネルの割当要求信号を受信したときに、予約したチャネルを割り当てるので、空きチャネルの確認処理を省略でき、チャネルの割当を迅速に実行できる。
【０００９】
制御部における一定の期間は、接続元の基地局装置から接続先の基地局装置へ端末装置が接続を切りかえるために要すべき期間をもとに予め規定されていてもよい。この場合、接続元の基地局装置から接続先の基地局装置へ端末装置が接続を切りかえるために要すべき期間を一定の期間に設定するので、予約の期間を限定でき、他の端末装置に与える影響を小さくできる。
【００１０】
本発明のさらに別の態様は、チャネル割当方法である。この方法は、無線通信を現在実行していない端末装置、および当該端末装置と無線通信を現在実行している基地局装置のいずれかから送信された信号であって、かつハンドオーバの開始要求が含まれた信号を取得するステップと、信号を取得すると、無線通信に現在使用していないチャネルを予約するステップと、チャネルを予約してから一定の期間以内に、チャネルの割当要求信号を新たな端末装置から受信した場合、当該端末装置に対して、予約したチャネルを割り当てるステップと、を備える。
【００１１】
一定の期間は、接続元の基地局装置から接続先の基地局装置へ端末装置が接続を切りかえるために要すべき期間をもとに予め規定されていてもよい。
【００１２】
本発明のさらに別の態様は、プログラムである。このプログラムは、無線通信を現在実行していない端末装置、および当該端末装置と無線通信を現在実行している基地局装置のいずれかから送信された信号であって、かつハンドオーバの開始要求が含まれた信号を取得するステップと、信号を取得すると、無線通信に現在使用していないチャネルを予約するステップと、チャネルを予約してから一定の期間以内に、チャネルの割当要求信号を新たな端末装置から受信した場合、当該端末装置に対して、予約したチャネルを割り当てるステップと、を備える。
【００１３】
なお、以上の構成要素の任意の組合せ、本発明の表現を、方法、装置、システムなどの間で変換したものもまた、本発明の態様として有効である。
【発明の効果】
【００１４】
本発明によれば、ハンドオーバを迅速に実行できる。
【発明を実施するための最良の形態】
【００１５】
本発明を具体的に説明する前に、概要を述べる。本発明の実施例は、端末装置と、基地局装置によって構成される第二世代ディジタルコードレス電話システムに関する。基地局装置は、複数のタイムスロットにて形成されたフレームが繰り返されるように規定されており、通信対象となる端末装置に対してタイムスロットを割り当てる。つまり、基地局装置は、時間を多重化要素とした時分割多元接続（ＴＤＭＡ：Ｔｉｍｅ  Ｄｉｖｉｓｉｏｎ  Ｍｕｌｔｉｐｌｅ  Ａｃｃｅｓｓ）によって複数の端末装置を接続する。所定の端末装置は、ひとつの基地局装置（以下、「ハンドオーバ元の基地局装置」という）との間において通信を実行する。
【００１６】
当該端末装置が、ハンドオーバ元の基地局装置との間の無線伝送路特性が悪化したことを検知すると、当該端末装置は、ハンドオーバ元の基地局装置に対して、ハンドオーバの開始要求が含まれた信号（以下、「開始要求信号」という）を送信する。ハンドオーバ元の基地局装置は、開始要求信号を受信すると、当該端末装置に割り当てていたタイムスロットを開放する。つまり、ハンドオーバ元の基地局装置は、当該端末装置との通信を切断する。端末装置は、ハンドオーバ元の基地局装置以外の基地局装置の存在を探索し、検出された基地局装置（以下、「ハンドオーバ先の基地局装置」という）に対して、タイムスロットの割当要求を送信する。ハンドオーバ先の基地局装置が、当該端末装置にタイムスロットを割り当てると、両者間の通信が開始され、ハンドオーバが完了する。
【００１７】
しかしながら、ハンドオーバ先の基地局装置において、当該端末装置に割り当てるべきタイムスロットがない場合、両者間の通信は開始されない。また、端末装置がハンドオーバ元の基地局装置に開始要求信号を送信する際、ハンドオーバ先の基地局装置は、割り当てるべきタイムスロットを有していたが、端末装置が割当要求を送信するまでの間に、ハンドオーバ先の基地局装置が当該タイムスロットを別の端末装置に割り当ててしまう場合もある。このような場合、端末装置は、新たにハンドオーバ先の基地局装置を探索しなければならず、ハンドオーバのための期間が長くなる。これに対応するために、本実施例に係る基地局装置は、以下の処理を実行する。
【００１８】
当該端末装置からハンドオーバ元の基地局装置へ送信された開始要求信号が、本来の送信先ではないハンドオーバ先の基地局装置に受信されることもある。ハンドオーバ先の基地局装置が、そのような開始要求信号を受信すると、割り当てていないタイムスロットのうちの少なくともひとつを一定の期間にわたって予約する。予約するとは、着信やチャネル切替のために、当該タイムスロットを使用しないことを意味する。ハンドオーバ先の基地局装置は、タイムスロットを予約している期間の間に、端末装置から割当要求を受信すると、予約したタイムスロットを当該端末装置に割り当てる。
【００１９】
図１は、本発明の実施例に係る通信システム１００の構成を示す。通信システム１００は、基地局装置１０と総称される第１基地局装置１０ａ、第２基地局装置１０ｂ、端末装置１４を含む。また、第１基地局装置１０ａは、第１基地局用アンテナ１２ａを含み、第２基地局装置１０ｂは、第２基地局用アンテナ１２ｂを含む。ここで、第１基地局用アンテナ１２ａ、第２基地局用アンテナ１２ｂは、基地局用アンテナ１２と総称される。また、端末装置１４は、端末用アンテナ１６を含む。
【００２０】
基地局装置１０は、基地局用アンテナ１２を備えることによって、無線伝送路を介して端末装置１４を一端に接続とともに、図示しないネットワークを他端に接続する。ここで、第１基地局装置１０ａがハンドオーバ元の基地局装置１０に相当し、第２基地局装置１０ｂがハンドオーバ先の基地局装置１０に相当する。つまり、初期状態において、第１基地局装置１０ａと端末装置１４とが通信を行っており、ハンドオーバ処理によって、第２基地局装置１０ｂと端末装置１４とが通信を行うようになる。基地局装置１０は、ＴＤＭＡにて複数の端末装置１４を接続できるように、フレームの繰り返しを規定する。
【００２１】
図２は、通信システム１００において使用されるフレームの構成を示す。図示のごとく、ひとつのフレームは、「第１スロット」から「第８スロット」までの８つのタイムスロットにて構成されている。また、「第１スロット」から「第４スロット」までの４つのタイムスロットが上り回線用に使用され、「第５スロット」から「第８スロット」までの残りの４つのタイムスロットが下り回線用に使用される。例えば、「第１スロット」と「第５スロット」のごとく、ひとつの端末装置１４に対して、基地局装置１０は、ひとつの上り回線用のタイムスロットとひとつの下り回線用のタイムスロットとを割り当てる。
【００２２】
その結果、４つの上り回線用のタイムスロットと４つの下り回線用のタイムスロットとは、対象的に使用される。なお、基地局装置１０によるタイムスロットの割当は、これに限定されるものではないが、ここでは、説明を明瞭にするために、上下回線においてタイムスロットが対称的に割り当てられるものとする。また、タイムスロットの中にパケット信号が配置されている。パケット信号は、前方に既知の信号、すなわちプリアンブルを配置し、その後段にデータ信号を配置しているものとする。図１に戻る。
【００２３】
端末装置１４は、基地局装置１０に対して通信を実行する。前述のごとく、初期状態おいて端末装置１４は、第１基地局装置１０ａと通信を実行しており、通信の間に第１基地局装置１０ａとの間の無線伝送路の品質を推定する。また、無線伝送路の品質が悪化すれば、端末装置１４は、第１基地局装置１０ａに対して、開始要求信号を送信し、ハンドオーバ元になるべき基地局装置１０を探索する。ここで、無線伝送路の品質の一例は、受信信号の強度であり、強度がしきい値よりも小さくなった場合に、端末装置１４は、無線伝送路の品質の悪化を検出する。
【００２４】
また、無線伝送路の品質は、これに限られず、ドップラー周波数、希望信号と干渉信号との強度比であってもよく、無線伝送路の品質の悪化は、受信した信号の品質が低くなる状態であればよい。さらに、ハンドオーバ元になるべき基地局装置１０の探索として、端末装置１４は、さまざまな基地局装置１０から送信される報知信号を受信し、報知信号の内容を解析するとともに、報知信号の受信強度を測定する。その結果、端末装置１４は、受信強度の大きい報知信号を送信した基地局装置１０をハンドオーバ元の基地局装置１０に決定する。ここでは、第２基地局装置１０ｂが選択されたものとする。
【００２５】
端末装置１４は、第１基地局装置１０ａとの接続を切断し、第２基地局装置１０ｂに対して割当要求を送信する。端末装置１４は、第２基地局装置１０ｂから、割り当てられたタイムスロットを知らされると、当該タイムスロットを使用することによって、第２基地局装置１０ｂとの通信を実行する。
【００２６】
図３は、第２基地局装置１０ｂの構成を示す。第２基地局装置１０ｂは、第２基地局用アンテナ１２ｂ、無線部２０、モデム部２２、ベースバンド部２４、制御部２６、記憶部２８を含む。また、第２基地局装置１０ｂは、ネットワーク３０に接続される。なお、第１基地局装置１０ａも同様の構成を有する。
【００２７】
無線部２０は、受信動作として、第２基地局用アンテナ１２ｂによって受信した無線周波数の信号に対して、周波数変換、直交検波を実行して、ベースバンドの信号を導出する。無線部２０は、ベースバンドの信号をモデム部２２に出力する。一般的に、ベースバンドの信号は、同相成分と直交成分によって形成されるので、ふたつの信号線によって伝送されるべきであるが、ここでは、図を明瞭にするためにひとつの信号線だけを示すものとする。また、無線部２０には、ＡＧＣ（Ａｕｔｏｍａｔｉｃ  Ｇａｉｎ  Ｃｏｎｔｒｏｌ）やＡ／Ｄ変換部も含まれる。
【００２８】
無線部２０は、送信動作として、モデム部２２からのベースバンドの信号に対して、直交変調、周波数変換を実行して、無線周波数の信号を導出する。無線部２０は、無線周波数の信号を第２基地局用アンテナ１２ｂに出力する。つまり、無線部２０は、無線周波数のパケット信号を第２基地局用アンテナ１２ｂから送信する。また、ＰＡ（Ｐｏｗｅｒ  Ａｍｐｌｉｆｉｅｒ）、Ｄ／Ａ変換部も含まれる。
【００２９】
モデム部２２は、受信処理として、無線部２０からのベースバンド信号に対して、復調を実行し、復調した信号をベースバンド部２４に出力する。モデム部２２は、復調処理として、同期検波や遅延検波を実行するが、それらの構成は公知のものでよいので、ここでは、説明を省略する。また、モデム部２２は、送信処理として変調を実行し、変調した信号を無線部２０に出力する。ベースバンド部２４は、第２基地局装置１０ｂにおいて処理すべき信号と、ネットワーク３０とのインタフェースである。
【００３０】
制御部２６は、無線部２０、モデム部２２、ベースバンド部２４を制御することによって、図示しない端末装置１４との無線通信を実行する。具体的には、制御部２６は、ＴＤＭＡにおける複数のタイムスロットを規定しており、そのうちの少なくともひとつを端末装置１４に対して割り当てる。無線部２０、モデム部２２、ベースバンド部２４は、制御部２６によって割り当てられたタイムスロットを使用しながら、端末装置１４との無線通信を実行する。制御部２６は、無線部２０、モデム部２２、ベースバンド部２４を介して、無線通信を現在実行していない、すなわちタイムスロットを割り当てていない端末装置１４、および当該端末装置１４と無線通信を現在実行している第１基地局装置１０ａのいずれかから送信された開始要求信号を取得する。
【００３１】
第二世代ディジタルコードレス電話システムの場合、開始要求信号は、端末装置１４からのＴＣＨ切替要求、あるいは第１基地局装置１０ａからのＴＣＨ切替指示に相当する。制御部２６は、ベースバンド部２４を介して受信したパケット信号の内容を監視し、そのパケット信号がＴＣＨ切替要求あるいはＴＣＨ切替指示に対応する場合に、開始要求信号を取得したとする。
【００３２】
制御部２６は、開始要求信号を取得すると、複数のタイムスロットのうち、無線通信に現在使用していないタイムスロットを予約する。以上の予約のために、制御部２６は、記憶部２８に記憶されたデータベースを参照する。図４は、記憶部２８に記憶されたスロットの割当に関するデータベースのデータ構造を示す。データベースは、スロット名欄２００と割当欄２０２とを含む。スロット名欄２００には、フレームに配置されたスロットの名称が含まれている。フレームは、図２のごとく構成されているので、第１スロットから第８スロットまでの８つのタイムスロットがフレーム内に存在する。しかしながら、前述のごとく、上下回線のタイムスロットは、対称的に割り当てられているので、ここでは、第１スロットから第４スロットまでの４つのタイムスロットを説明の対象とする。
【００３３】
割当欄２０２には、タイムスロットの状態が示されている。例えば、第１スロットには、第１端末装置１４ａが割り当てられている。また、第４スロットには、端末装置１４が割り当てられていない。また、第３スロットは予約されている。図３に戻る。制御部２６は、記憶部２８に記憶されたデータベースを参照しながら、割り当てられていないタイムスロットを検索し、検知したタイムスロットを予約する。
【００３４】
制御部２６は、タイマを内蔵しており、タイムスロットを予約したときにタイマを開始させる。また、タイマを開始してから一定の期間以内に、無線部２０、モデム部２２、制御部２６を介して、新たな端末装置１４から割当要求を受信した場合、制御部２６は、当該端末装置１４に対して、予約したタイムスロットを割り当てる。図３の場合、第３スロットが割り当てられる。ここで、一定の期間は、ハンドオーバ元の基地局装置１０からハンドオーバ先の基地局装置１０へ端末装置１４が接続を切りかえるために要すべき期間をもとに予め規定されており、その値は、シミュレーション等によって決定されればよい。
【００３５】
なお、割当要求以外にも、タイムスロットの割当が発生することがある。例えば、端末装置１４への着信や、既にタイムスロットを割り当てている端末装置１４による別のタイムスロットへのチャネル切替である。制御部２６は、タイマの動作中にこれらが発生しても、予約したタイムスロットを割り当てない。その結果、ハンドオーバを実行する端末装置１４にタイムスロットを割り当てる可能性が高くなる。
【００３６】
この構成は、ハードウエア的には、任意のコンピュータのＣＰＵ、メモリ、その他のＬＳＩで実現でき、ソフトウエア的にはメモリのロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３７】
以上の構成による基地局装置１０の動作を説明する。図５は、通信システム１００の比較対象となる従来の通信システムにおけるハンドオーバ手順を示すシーケンス図である。端末装置１４と第１基地局装置１０ａとの間において、通信が実行される（Ｓ１０）。端末装置１４は、第１基地局装置１０ａとの間の伝送路特性の悪化を検出し、ハンドオーバを決定する。端末装置１４は、第１基地局装置１０ａに対してＴＣＨ切替要求を送信する（Ｓ１２）。第１基地局装置１０ａは、端末装置１４に対してＴＣＨ切替指示を送信する（Ｓ１４）。端末装置１４は、他の基地局装置１０を検索し、第２基地局装置１０ｂを検知する。
【００３８】
端末装置１４は、第２基地局装置１０ｂに対してリンクチャネル確立要求を送信する（Ｓ１６）。第２基地局装置１０ｂは、リンクチャネル確立要求を受信すると、空きタイムスロットを確認する（Ｓ１８）。空きタイムスロットが検知されると、第２基地局装置１０ｂは、端末装置１４に対して、タイムスロットを割り当てるとともに、リンクチャネル割当を送信する（Ｓ２０）。ここで、リンクチャネル割当が前述の割当要求に相当する。その後、端末装置１４と第２基地局装置１０ｂとの間において、無線リンク確立処理が実行される（Ｓ２２）。最終的に、端末装置１４と第２基地局装置１０ｂとの間において、通信が実行される（Ｓ２４）。
【００３９】
図６は、通信システム１００におけるハンドオーバ手順を示すシーケンス図である。端末装置１４と第１基地局装置１０ａとの間において、通信が実行される（Ｓ５０）。端末装置１４は、第１基地局装置１０ａとの間の伝送路特性の悪化を検出し、ハンドオーバを決定する。端末装置１４は、第１基地局装置１０ａに対してＴＣＨ切替要求を送信する（Ｓ５２）。なお、ＴＣＨ切替要求は、通信の対象でない第２基地局装置１０ｂにも受信される。第１基地局装置１０ａは、端末装置１４に対してＴＣＨ切替指示を送信する（Ｓ５４）。また、第２基地局装置１０ｂは、ＴＣＨ切替要求を受信すると、タイムスロットを予約する（Ｓ５６）。端末装置１４は、他の基地局装置１０を検索し、第２基地局装置１０ｂを検知する。
【００４０】
端末装置１４は、第２基地局装置１０ｂに対してリンクチャネル確立要求を送信する（Ｓ５８）。第２基地局装置１０ｂは、端末装置１４に対して、予約していたタイムスロットを割り当てるとともに、リンクチャネル割当を送信する（Ｓ６０）。その後、端末装置１４と第２基地局装置１０ｂとの間において、無線リンク確立処理が実行される（Ｓ６２）。最終的に、端末装置１４と第２基地局装置１０ｂとの間において、通信が実行される（Ｓ６４）。このように、第２基地局装置１０ｂは、リンクチャネル確立要求を受信したときに、割り当てるべきタイムスロットを既に予約しているので、端末装置１４に確実にタイムスロットを割り当てられる。また、第２基地局装置１０ｂは、端末装置１４に迅速にタイムスロットを割り当てられる。
【００４１】
図７は、第２基地局装置１０ｂにおけるタイムスロットの割当手順を示すフローチャートである。制御部２６は、無線部２０等を介して、ハンドオーバの開始要求を受信する（Ｓ１００）。なお、当該ハンドオーバの開始要求は、端末装置１４から送信された信号であるが、第２基地局装置１０ｂに対して送信された信号ではなく、第１基地局装置１０ａに対して送信された信号である。制御部２６は、記憶部２８を参照しながら空きタイムスロットを検索する。空きタイムスロットがあれば（Ｓ１０２のＹ）、制御部２６は、空きタイムスロットを予約し（Ｓ１０４）、タイマを開始する（Ｓ１０６）。
【００４２】
また、既にタイムスロットを割り当てている端末装置１４からチャネル切替の要求があり（Ｓ１０８のＹ）、空きタイムスロットがあれば（Ｓ１１０のＹ）、制御部２６は、チャネル切替を実行する（Ｓ１１２）。また、空きタイムスロットがなければ（Ｓ１１０のＮ）、制御部２６は、要求を破棄する（Ｓ１１４）。一方、既にタイムスロットを割り当てている端末装置１４からチャネル切替の要求がなければ（Ｓ１０８のＮ）、ステップ１１０からステップ１１４の処理がスキップされる。
【００４３】
端末装置１４からのタイムスロットの割当要求があれば（Ｓ１１６のＹ）、制御部２６は、予約したタイムスロットを端末装置１４に割り当て（Ｓ１２２）、処理を終了する。端末装置１４からのタイムスロットの割当要求がなく（Ｓ１１６のＮ）、タイマが一定期間内であれば（Ｓ１１８のＹ）、ステップ１０８に戻る。タイマが一定期間内でなければ（Ｓ１１８のＮ）、制御部２６は、予約を解除し（Ｓ１２０）、処理を終了する。一方、空きタイムスロットがなければ（Ｓ１０２のＮ）、処理を終了する。
【００４４】
本発明の実施例によれば、端末装置とハンドオーバ元の基地局装置との間での開始要求信号を取得したときに、タイムスロットを予約し、端末装置から割当要求信号を受信したときに、予約したタイムスロットを割り当てるので、空きタイムスロットの確認処理を省略できる。また、空きタイムスロットの確認処理を省略できるので、ハンドオーバ先の基地局装置での処理を迅速に実行できる。また、ハンドオーバ先の基地局装置での処理が迅速に実行されるので、タイムスロットの割当を迅速に実行できる。また、予約したタイムスロットに端末装置が割り当てられるので、端末装置が割当要求信号を送信した基地局装置からタイムスロットが割り当てられる可能性を向上できる。また、ハンドオーバ元の基地局装置からハンドオーバ先の基地局装置へ端末装置が接続を切りかえるために要すべき期間を一定の期間に設定するので、予約の期間を限定でき、他の端末装置に与える影響を小さくできる。
【００４５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４６】
本発明の実施例において、多重化要素を「時間」として、説明を行っている。しかしながらこれに限らず例えば、多重化要素は、「時間」でなく、「周波数」や「符号」であってもよい。前者の場合は、ＦＤＭＡに相当し、後者の場合は、ＣＤＭＡに相当する。このような場合でも、実施例において説明した処理と同様の処理が実現されればよい。なお、「周波数」の場合、タイムスロットの代わりに、周波数チャネルが使用され、「符号」の場合、タイムスロットの代わりに、コードが使用される。そのため、実施例におけるタイムスロットは、チャネルとよばれてもよい。本変形例によれば、本発明をさまざまな多重化技術に適用できる。
【００４７】
本発明の実施例において、開始要求信号が、ＴＣＨ切替要求あるいはＴＣＨ切替指示であるとする。しかしながらこれに限らず例えば、開始要求信号として別の信号が規定されてもよい。そのような信号には、端末装置１４を識別するための情報が含まれており、第２基地局装置１０ｂは、当該情報と組合せながらタイムスロットを予約する。また、第２基地局装置１０ｂは、端末装置１４から割当要求を受信したときに、割当要求に含まれた端末装置１４に関する情報を参照する。さらに、当該情報と、予約したタイムスロットに対応づけられた情報とが一致するときに、端末装置１４に対して予約したタイムスロットを割り当てる。本変形例によれば、ハンドオーバを実行する端末装置１４に、予約したタイムスロットを割り当てることができる。
【図面の簡単な説明】
【００４８】
【図１】本発明の実施例に係る通信システムの構成を示す図である。
【図２】図１の通信システムにおいて使用されるフレームの構成を示す図である。
【図３】図１の第２基地局装置の構成を示す図である。
【図４】図２の記憶部に記憶されたスロットの割当に関するデータベースのデータ構造を示す図である。
【図５】図１の通信システムの比較対象となる従来の通信システムにおけるハンドオーバ手順を示すシーケンス図である。
【図６】図１の通信システムにおけるハンドオーバ手順を示すシーケンス図である。
【図７】図２の第２基地局装置におけるタイムスロットの割当手順を示すフローチャートである。
【符号の説明】
【００４９】
１０  基地局装置、  １２  基地局用アンテナ、  １４  端末装置、  １６  端末用アンテナ、  １８  、  ２０  無線部、  ２２  モデム部、  ２４  ベースバンド部、  ２６  制御部、  ２８  記憶部、  ３０  ネットワーク、  １００  通信システム。
【図１】
2008048073.tif 000003
【図２】
2008048073.tif 000004
【図３】
2008048073.tif 000005
【図４】
2008048073.tif 000006
【図５】
2008048073.tif 000007
【図６】
2008048073.tif 000008
【図７】
2008048073.tif 000009